(57)【要約】      （修正有）【課題】安価でリングノートの保護・交換に適したリングノートジャケットを提供する。【解決手段】リングノートジャケットは、垂直方向に延びる棒部３の上端を下方へ折り曲げ、下端を上方へ折り曲げてそれぞれ係止部４、５を形成したフック付バー２と、表表紙部７、裏表紙部８及び背表紙部９を有し、背表紙部９の上部及び下部に係止部４、５を挿通する孔部１０、１１が形成された表紙部６から成り、背表紙部９の外側から、係止部４を孔部１０、係止部５を孔部１１に挿通させてリングノートジャケットを組み立てる。【選択図】図１
0003230627.tif 000002
【実用新案登録請求の範囲】
【請求項１】
垂直方向に延びる棒部の上端を下方へ折り曲げ、下端を上方へ折り曲げてそれぞれ係止部を形成したフック付バーと、背表紙部、表表紙部及び裏表紙部を有し、前記背表紙部の上部及び下部に孔部が形成された表紙部から成り、前記背表紙部の外側から前記係止部を前記孔部に挿通して組み立てるリングノートジャケット。
【請求項２】
前記表紙部は可撓性を有すること、を特徴とする請求項１に記載のリングノートジャケット。
【請求項３】
前記孔部の縁部には補強部が設けられていること、を特徴とする請求項１又は２に記載のリングノートジャケット。
【考案の詳細な説明】
【技術分野】
【０００１】
本考案は、リングノートを保護するリングノートジャケットに関する。
【背景技術】
【０００２】
通常のリングノートは、綴じノートと同じようにそのまま使用するようになっており、書籍のように表紙にカバーを装着して使用するようにはなっていない。
しかし、リングノートを保護したり、収納部を設けて機能性を高めたり、外観を変えたりしたいという要望がある。
【０００３】
そこで、リングノートカバーの背面部をヒンジ構造とするリングノートカバーが公知となっているが、このリングノートカバーは、背面部をヒンジ構造とするため、製造コストが嵩むという問題があり、また、リングノートを閉じた状態ではヒンジ構造とした背面部が目立つため、デザイン性にも問題がある。
【先行技術文献】
【特許文献】
【０００４】
【特許文献１】特開２０１７−７１１１６号公報
【考案の開示】
【考案が解決しようとする課題】
【０００５】
本考案は、このようなリングノートカバーの問題点を解消すべく、安価でありながら、リングノートの保護・交換に適したリングノートジャケットを提供することを目的とする。
【課題を解決するための手段】
【０００６】
上記目的を達成するため、請求項１に記載の考案は、リングノートジャケットにおいて、垂直方向に延びる棒部の上端を下方へ折り曲げ、下端を上方へ折り曲げてそれぞれ係止部を形成したフック付バーと、背表紙部、表表紙部及び裏表紙部を有し、前記背表紙部の上部及び下部に孔部が形成された表紙部から成り、前記背表紙部の外側から前記係止部を前記孔部に挿通して組み立てることを特徴とする。
【０００７】
また、請求項２に記載の考案は、請求項１に記載のリングノートジャケットにおいて、前記表紙部は可撓性を有することを特徴とする。
【０００８】
また、請求項３に記載の考案は、請求項１又は２のいずれか１項に記載のリングノートジャケットにおいて、前記孔部の縁部には補強部が設けられていることを特徴とする。
【考案の効果】
【０００９】
本考案によれば、リングノートを鞄等に収納したり携行したりする際にリングノートの表紙や頁が折れ曲がったり破れたりするのを防ぐことができる。
また、古いリングノートを新しいリングノートに差し替える際は、リングノートのリング部とフック付バーの係止部との係合を解くだけで容易にリングノートを差し替えることができる。
【図面の簡単な説明】
【００１０】
【図１】（Ａ）フック付バーの説明図である。（Ｂ）表紙部の説明図である。
【図２】表紙部の孔部にフック付バーの係止部を背表紙部の外側から挿通させた状態を内側（見開き側）から示す説明図である。
【図３】（Ａ）フック付バーの係止部にリングノートの上部側リング部を係合させた状態を示す説明図である。（Ｂ）リングノートのリング部を背表紙部の位置に合わせた状態を示す説明図である。（Ｃ）フック付バーの係止部にリングノートの下部側リング部を係合させた状態を示す説明図である。
【図４】リングノートにリングノートジャケットを装着した状態を外側から示す説明図である。
【考案を実施するための形態】
【００１１】
以下、本考案の実施例について図面を基に詳細に説明する。
【実施例１】
【００１２】
図１（Ａ）はリングノートジャケット１を構成するフック付バー２の説明図であって、符号の３は棒部、４は棒部３の上端を下方へ折り曲げて形成した係止部、５は棒部３の下端を上方へ折り曲げて形成した係止部である。
フック付バー２は多少の可撓性を有し、素材は限定されないが、耐久性を考慮すると金属製が好ましい。
【００１３】
図１（Ｂ）はリングノートジャケット１を構成し、可撓性を有する表紙部６の説明図であって、符号の７は表表紙部、８は裏表紙部、９は背表紙部、１０は背表紙部９の上部に形成された孔部、１１は孔部１０の縁部に設けられた補強部、１２は背表紙部９の下部に形成された孔部、１３は孔部１２の縁部に設けられた補強部である。
表紙部６の素材は限定されないが、耐衝撃性や防水性を考慮すると皮革等を用いるのが好適である。
【００１４】
リングノートジャケット１の使用方法は、先ず背表紙部９の外側から係止部４を孔部１０に挿通させた後、表紙部６を撓ませて係止部５を孔部１２に挿通させ、係止部４、５を内側（見開き側）に露出させた状態で図２に示すようにリングノートジャケット１を組み立てる。
次に、リングノート１４の上部側リング部１５を係止部４に挿通して係合させ（図３（Ａ））、リングノート１４を矢印方向へ押し上げながら上部側リング部１５及び下部側リング部１６を背表紙部９の位置に合わせ（図３（Ｂ））、リングノート１４を矢印方向へ下げながら下部側リング部１６を係止部５に挿通して係合させ（図３（Ｃ））、リングノートジャケット１をリングノート４に装着する。
【００１５】
リングノート１４を交換する際は、図３（Ｂ）に示すようにリングノート１４を矢印方向へ押し上げて下部側リング部１６と係止部５の係合を解き、次にリングノート１４を図３（Ａ）に示す位置等に移動させながら上部側リング部１５と係止部４の係合を解いてリングノートジャケット１をリングノート４から取り外す。
【００１６】
リングノートジャケット１を使用する際、係止部４、５と孔部１０、１２の縁が接触することで孔部１０、１２の縁が傷ついたり破れたりすることを防ぐため、孔部１０、１２の縁を保護する補強部１１、１３は金属製が好ましい。
【００１７】
以上のように、リングノートジャケット１は、リングノート１４への装着・取り外しが容易であり、またリングノート１４に装着した状態では、使用者が上部側リング部１５と係止部４、下部側リング部１６と係止部５の係合を解かない限り、使用中にリングノート１４から外れることもない。
【００１８】
なお、図面のリングノートジャケット１には収納部は設けられていないが、表表紙部７や裏表紙部８の見開き側にポケット等の収納部を設けてもよい。
【符号の説明】
【００１９】
１  リングノートジャケット
２  フック付バー
３  棒部
４  係止部
５  係止部
６  表紙部
７  表表紙部
８  裏表紙部
９  背表紙部
１０  孔部
１１  補強部
１２  孔部
１３  補強部
１４  リングノート
１５  上部側リング部
１６  下部側リング部
【図１】
0003230627.tif 000003
【図２】
0003230627.tif 000004
【図３】
0003230627.tif 000005
【図４】
0003230627.tif 000006